(57)【要約】【課題】装置自体が有する発光部が出力する光を利用した装飾効果に優れる光ディスク再生機能付きテレビ受像装置を実現する。【解決手段】液晶テレビ１００は、発光部４０が出力する光を用いて映像表示部３０に、受信部１０が受信した放送信号に基づく受信映像や、映像再生部２０がディスクＤを再生した映像信号に基づく再生映像を表示することができる。また、液晶テレビ１００において、その発光部４０が出力する光を導光部５０が導光するとともに、その導光した光を映像再生部２０に装着されているディスクＤにおける信号読み取り面の反対側の面に向けて照射することによって、その光をディスクＤの表面で反射させて、映像表示部３０に表示される映像を見るユーザにその反射光を視認させる構成にした。【選択図】図２
2006302387.tif 000002
【特許請求の範囲】
【請求項１】
所定の放送に関する放送信号を受信する受信部と、
所定の光ディスクに記録されている映像信号を再生する映像再生部と、
前記受信部が受信した前記放送信号に基づく受信映像や、前記映像再生部が再生した前記映像信号に基づく再生映像を表示する映像表示部と、
前記映像表示部が映像を表示するための光を出力する発光部と、
前記発光部が出力する光または前記発光部が出力した光であって前記映像表示部を介して出射される光の光路をプリズム部材によって変更するように導光して、前記映像再生部において前記映像表示部の映像表示画面と略同じ向きに配置される前記光ディスクの非信号読み取り面に向けて照射する導光部と、
を備えることを特徴とする光ディスク再生機能付きテレビ受像装置。
【請求項２】
所定の放送に関する放送信号を受信する受信部と、
所定の光ディスクに記録されている映像信号を再生する映像再生部と、
前記受信部が受信した前記放送信号に基づく受信映像や、前記映像再生部が再生した前記映像信号に基づく再生映像を表示する映像表示部と、
前記映像表示部が映像を表示するための光を出力する発光部と、
前記発光部が出力する光を導光して、前記映像再生部に装着されている光ディスクにおける信号読み取り面の反対側の面に向けて照射する導光部と、
を備えることを特徴とする光ディスク再生機能付きテレビ受像装置。
【請求項３】
所定の放送に関する放送信号を受信する受信部と、
所定の光ディスクに記録されている映像信号を再生する映像再生部と、
前記受信部が受信した前記放送信号に基づく受信映像や、前記映像再生部が再生した前記映像信号に基づく再生映像を表示する映像表示部と、
前記映像表示部が映像を表示するための光を出力する発光部と、
前記発光部が出力した光であって前記映像表示部を介して出射される光を導光して、前記映像再生部に装着されている光ディスクにおける信号読み取り面の反対側の面に向けて照射する導光部と、
を備えることを特徴とする光ディスク再生機能付きテレビ受像装置。
【請求項４】
前記映像再生部は、当該映像再生部に装着される前記光ディスクにおける信号読み取り面の反対側の面を、前記映像表示部の映像表示画面と略同じ向きに配置することを特徴とする請求項２又は３に記載の光ディスク再生機能付きテレビ受像装置。
【請求項５】
前記導光部は、光の光路を変更するプリズム部材を備えることを特徴とする請求項２〜４のいずれか一項に記載の光ディスク再生機能付きテレビ受像装置。
【発明の詳細な説明】
【技術分野】
【０００１】
本発明は、光ディスク再生機能付きテレビ受像装置に関する。
【背景技術】
【０００２】
従来、ＣＤ（Compact Disc）やＤＶＤ（Digital Versatile Disk）など記録媒体である光ディスクを回転駆動するとともに、その光ディスクに記録されている情報を読み取り、音声や映像を再生して出力するＣＤプレーヤやＤＶＤプレーヤなどの装置が知られている。
【０００３】
このような装置において、装置の動作状態や、装置が出力中のプログラムなどを表示する液晶表示部が設けられ、また、その液晶表示部に表示される表示を視認しやすくするための照明光を出射するバックライトを有する装置がある。
【０００４】
そして、このバックライトが液晶表示部に向けて出射する照明光の一部を光ディスクに照射することができる装置が知られている（例えば、特許文献１参照。）。
【０００５】
このバックライトが光ディスクを照射する照明光によって、暗い部屋などで光ディスクを視認することができるようになり、光ディスクの種類を認識したり、光ディクスの出し入れが行いやすくなったりする。
【０００６】
また、ＣＤプレーヤにおいて、ＣＤとともに回転するクランパ部に照明光を照射するＬＥＤ（Light Emitting Diode）を設けて、回転するクランパ部がその照明光を反射するようになっているＣＤプレーヤが知られている（例えば、特許文献２参照。）。
【０００７】
そして、回転するクランパ部が照明光を反射した反射光が回るように視認することができるようになるので、ＣＤの回転を認識することができるとともに、その回転する反射光の視覚効果により、装飾性が付与されるようになっている。
【特許文献１】特開２００１−３０５９７４号公報
【特許文献２】実開平７−１９８９７号公報
【発明の開示】
【発明が解決しようとする課題】
【０００８】
しかしながら、上記特許文献１の場合、バックライトから照射される照明光によって、暗い部屋などで光ディスクを視認することができるようになるが、その照明光が光ディスクを照射することによって、その装置に装飾性が付与されることはなかった。
【０００９】
また、上記特許文献２の場合、ＬＥＤによる照明光が反射された反射光によって、ＣＤプレーヤに装飾性が付与されるが、装飾性を付与するためにＬＥＤを備えたり、クランパ部に反射面を形成したりしなければならず、その分コストが増大してしまうという問題があった。
【００１０】
本発明の目的は、装置自体が有する発光部が出力する光を利用した装飾効果に優れる光ディスク再生機能付きテレビ受像装置を提供することである。
【課題を解決するための手段】
【００１１】
以上の課題を解決するため、請求項１記載の発明は、光ディスク再生機能付きテレビ受像装置であって、所定の放送に関する放送信号を受信する受信部と、所定の光ディスクに記録されている映像信号を再生する映像再生部と、前記受信部が受信した前記放送信号に基づく受信映像や、前記映像再生部が再生した前記映像信号に基づく再生映像を表示する映像表示部と、前記映像表示部が映像を表示するための光を出力する発光部と、前記発光
部が出力する光または前記発光部が出力した光であって前記映像表示部を介して出射される光の光路をプリズム部材によって変更するように導光して、前記映像再生部において前記映像表示部の映像表示画面と略同じ向きに配置される前記光ディスクの非信号読み取り面に向けて照射する導光部と、を備えることを特徴とする。
【００１２】
請求項２記載の発明は、光ディスク再生機能付きテレビ受像装置であって、所定の放送に関する放送信号を受信する受信部と、所定の光ディスクに記録されている映像信号を再生する映像再生部と、前記受信部が受信した前記放送信号に基づく受信映像や、前記映像再生部が再生した前記映像信号に基づく再生映像を表示する映像表示部と、前記映像表示部が映像を表示するための光を出力する発光部と、前記発光部が出力する光を導光して、前記映像再生部に装着されている光ディスクにおける信号読み取り面の反対側の面に向けて照射する導光部と、を備えることを特徴とする。
【００１３】
請求項３記載の発明は、光ディスク再生機能付きテレビ受像装置であって、所定の放送に関する放送信号を受信する受信部と、所定の光ディスクに記録されている映像信号を再生する映像再生部と、前記受信部が受信した前記放送信号に基づく受信映像や、前記映像再生部が再生した前記映像信号に基づく再生映像を表示する映像表示部と、前記映像表示部が映像を表示するための光を出力する発光部と、前記発光部が出力した光であって前記映像表示部を介して出射される光を導光して、前記映像再生部に装着されている光ディスクにおける信号読み取り面の反対側の面に向けて照射する導光部と、を備えることを特徴とする。
【００１４】
請求項４記載の発明は、請求項２又は３に記載の光ディスク再生機能付きテレビ受像装置において、前記映像再生部は、当該映像再生部に装着される前記光ディスクにおける信号読み取り面の反対側の面を、前記映像表示部の映像表示画面と略同じ向きに配置することを特徴とする。
【００１５】
請求項５記載の発明は、請求項２〜４のいずれか一項に記載の光ディスク再生機能付きテレビ受像装置において、前記導光部は、光の光路を変更するプリズム部材を備えることを特徴とする。
【発明の効果】
【００１６】
請求項１記載の発明によれば、光ディスク再生機能付きテレビ受像装置は、発光部が出力する光を用いることによって、映像表示部が、受信部が受信した放送信号に基づく受信映像や、映像再生部が光ディスクを再生した映像信号に基づく再生映像を表示することができる。
【００１７】
また、発光部が出力する光や、発光部が出力した光であって映像表示部を介して出射される光の光路をプリズム部材によって変更するように導光部が導光するとともに、導光した光を、映像再生部において映像表示部の映像表示画面と略同じ向きに配置される光ディスクの非信号読み取り面に向けて照射することができる。
【００１８】
この光ディスクに照射された光は、光ディスクの表面で反射する。そして、光ディスクに照射された光が、光ディスク再生機能付きテレビ受像装置の映像表示部に表示される映像を見るユーザ側に向けて反射されると、その反射光をユーザが視認することとなる。
【００１９】
この光ディスクが反射した反射光は、光ディスク表面特有の干渉光となってユーザに視認されることとなるので、その虹色様に輝くような反射光（干渉光）によって、光ディスク再生機能付きテレビ受像装置に視覚的な装飾性が付与されるようになる。
【００２０】
つまり、発光部が出力する光や、発光部が出力した光であって映像表示部を介して出力された光が、導光部によって映像再生部に装着されている光ディスクに照射されることにより、光ディスクがその光を反射することとなり、その反射光によって光ディスク再生機
能付きテレビ受像装置に視覚的な装飾性が付与されるようになる。
【００２１】
また、光ディスク再生機能付きテレビ受像装置において、映像再生部に装着される光ディスクにおける信号読み取り面の反対側の面である非信号読み取り面が、映像表示部の映像表示画面と略同じ向きに配置されるので、その非信号読み取り面に照射された光は、光ディスク再生機能付きテレビ受像装置の映像表示部に表示される映像を見るユーザ側に向けて好適に反射される。
【００２２】
また、導光部は、導光部に入射された光の光路をプリズム部材によって所望する方向に変更することができるので、光ディスクの非信号読み取り面に向けて、好適に光を照射することができる。
【００２３】
このように光ディスク再生機能付きテレビ受像装置は、光ディスクに好適に光を照射し、その照射光をより好適にユーザに向けて反射することができる。
【００２４】
よって、光ディスク再生機能付きテレビ受像装置は、発光部が映像表示用の光として出力した光を利用して、光ディスク再生機能付きテレビ受像装置に装飾性を付与することができる。
【００２５】
従って、この光ディスク再生機能付きテレビ受像装置は、その装置自体が有する発光部が出力する光を利用することによる装飾効果に優れる光ディスク再生機能付きテレビ受像装置であるといえる。
【００２６】
請求項２記載の発明によれば、光ディスク再生機能付きテレビ受像装置は、発光部が出力する光を用いることによって、映像表示部に、受信部が受信した放送信号に基づく受信映像や、映像再生部が光ディスクを再生した映像信号に基づく再生映像を表示することができる。
【００２７】
また、発光部が出力する光を導光部が導光することによって、その光を映像再生部に装着されている光ディスクにおける信号読み取り面の反対側の面に向けて照射することができる。
【００２８】
この光ディスクに照射された光は、光ディスクの表面で反射する。そして、光ディスクに照射された光が、例えば、光ディスク再生機能付きテレビ受像装置の映像表示部に表示される映像を見るユーザ側に向けて反射されると、その反射光をユーザが視認することとなる。
【００２９】
この光ディスクが反射した反射光は、光ディスク表面特有の干渉光となってユーザに視認されることとなるので、その虹色様に輝くような反射光（干渉光）によって、光ディスク再生機能付きテレビ受像装置に視覚的な装飾性が付与されるようになる。
【００３０】
つまり、発光部が出力した光が、導光部によって映像再生部に装着されている光ディスクに照射されることにより、光ディスクがその光を反射することとなり、その反射光によって光ディスク再生機能付きテレビ受像装置に視覚的な装飾性が付与されるようになる。
【００３１】
よって、光ディスク再生機能付きテレビ受像装置は、発光部が映像表示用の光として出力した光を利用して、光ディスク再生機能付きテレビ受像装置に装飾性を付与することができる。
【００３２】
従って、この光ディスク再生機能付きテレビ受像装置は、その装置自体が有する発光部が出力する光を利用することによる装飾効果に優れる光ディスク再生機能付きテレビ受像装置であるといえる。
【００３３】
請求項３記載の発明によれば、光ディスク再生機能付きテレビ受像装置は、発光部が出力する光を用いることによって、映像表示部に、受信部が受信した放送信号に基づく受信映像や、映像再生部が光ディスクを再生した映像信号に基づく再生映像を表示することができる。
【００３４】
また、発光部が出力した光であって映像表示部を介して出射される光を導光部が導光することによって、その光を映像再生部に装着されている光ディスクにおける信号読み取り面の反対側の面に向けて照射することができる。
【００３５】
この光ディスクに照射された光は、光ディスクの表面で反射する。そして、光ディスクに照射された光が、例えば、光ディスク再生機能付きテレビ受像装置の映像表示部に表示される映像を見るユーザ側に向けて反射されると、その反射光をユーザが視認することとなる。
【００３６】
この光ディスクが反射した反射光は、光ディスク表面特有の干渉光となってユーザに視認されることとなるので、その虹色様に輝くような反射光（干渉光）によって、光ディスク再生機能付きテレビ受像装置に視覚的な装飾性が付与されるようになる。
【００３７】
つまり、発光部が出力した光であって映像表示部を介して出力された光が、導光部によって映像再生部に装着されている光ディスクに照射されることにより、光ディスクがその光を反射することとなり、その反射光によって光ディスク再生機能付きテレビ受像装置に視覚的な装飾性が付与されるようになる。
【００３８】
よって、光ディスク再生機能付きテレビ受像装置は、発光部が映像表示用の光として出力した光を利用して、光ディスク再生機能付きテレビ受像装置に装飾性を付与することができる。
【００３９】
従って、この光ディスク再生機能付きテレビ受像装置は、その装置自体が有する発光部が出力する光を利用することによる装飾効果に優れる光ディスク再生機能付きテレビ受像装置であるといえる。
【００４０】
請求項４記載の発明によれば、請求項２又は３に記載の発明と同様の効果が得られることは無論のこと、光ディスク再生機能付きテレビ受像装置の映像再生部は、その映像再生部に装着される光ディスクにおける信号読み取り面の反対側の面を、映像表示部の映像表示画面と略同じ向きに配置する。
【００４１】
つまり、光ディスク再生機能付きテレビ受像装置は、映像再生部に装着される光ディスクにおける信号読み取り面の反対側の面を、映像表示部の映像表示画面と略同じ向きに配置するので、その信号読み取り面の反対側の面に照射された光を、光ディスク再生機能付きテレビ受像装置の映像表示部に表示される映像を見るユーザ側に向けて好適に反射することができる。
【００４２】
よって、光ディスク再生機能付きテレビ受像装置は、光ディスクに照射された光をより好適にユーザに向けて反射することができる。
【００４３】
請求項５記載の発明によれば、請求項２〜４のいずれか一項に記載の発明と同様の効果が得られることは無論のこと、光ディスク再生機能付きテレビ受像装置の導光部は、光の光路を変更するプリズム部材を備えている。
【００４４】
つまり、導光部は、導光部に入射された光の光路をプリズム部材によって所望する方向に変更することができるので、光ディスクにおける信号読み取り面の反対側の面に向けて、好適に光を照射することができる。
【００４５】
そして、光ディスク再生機能付きテレビ受像装置は、光ディスクに照射された光をより好適にユーザに向けて反射することができる。
【発明を実施するための最良の形態】
【００４６】
以下、図面を参照して本発明に係る光ディスク再生機能付きテレビ受像装置の実施の形態について詳細に説明する。なお、本実施形態では、光ディスク再生機能付きテレビ受像装置としてＤＶＤ再生機能付き液晶テレビを例に挙げて説明する。
【００４７】
（実施形態１）
図１、図２に示すように、ＤＶＤ再生機能付き液晶テレビ１００（以下、液晶テレビ１００）は、放送信号を受信する受信部１０と、光ディスクであるＤＶＤ（以下、ディスクＤ）に記録されている映像信号を再生する映像再生部２０と、放送信号に基づく受信映像データに応じた受信映像や、映像信号に基づく再生映像データに応じた再生映像を表示する映像表示部３０と、放送信号に基づく受信映像データに応じた音声や、映像信号に基づく再生映像データに応じた音声を出力する音声出力部（図示省略）と、映像表示部３０が映像を表示するための光を出力する発光部４０と、発光部４０が出力する光を導光する導光部５０と、上記各部の動作処理を制御する制御部１と、これらを内部に収容する筐体１００ａ等を備えている。
【００４８】
受信部１０は、例えば、アンテナ機器を有し、選局されたチャンネルなどに応じた所定の放送信号を受信するとともに、受信した放送信号を制御部１に送出する。
【００４９】
映像再生部２０は、例えば、ＤＶＤプレーヤにより構成されており、所定の記録媒体であるディスクＤに記録されている映像信号を再生し、その映像信号をデジタルデータである音声データと画像データとからなる再生映像データに変換するとともに、その映像信号に基づく再生映像データの音声データや画像データを、制御部１を介して映像表示部３０や音声出力部（図示省略）に出力する。
【００５０】
また、この映像再生部２０は、映像再生部２０に装着されるディスクＤを、そのディスクＤにおける信号読み取り面の反対側の面（非信号読み取り面）が、映像表示部３０の映像表示画面と同じ向きに配置されるように、プレーヤの回転軸２１とクランプ部（図示省略）がディスクＤを保持するようになっている。なお、映像表示部３０の映像表示画面とは、後述するフロントパネル３０ａの前面に対応している。
【００５１】
つまり、映像表示部３０において映像が表示される映像表示画面と同じ向きに、ディスクＤにおける信号読み取り面の反対側の面（非信号読み取り面）が配置されているので、映像表示部３０に表示される映像を見るユーザが、ディスクＤにおける信号読み取り面の反対側の面（非信号読み取り面）を視認することができるように、ディスクＤは映像再生部２０に装着されている。
【００５２】
図示しない音声出力部は、例えば、スピーカ機器であり、受信部１０が受信した放送信号に基づく受信映像データの音声データに応じた音声や、映像再生部２０が再生した映像信号に基づく再生映像データの音声データに応じた音声を出力する。
【００５３】
映像表示部３０は、例えば、液晶ディスプレイであり、受信部１０が受信した放送信号に基づく受信映像データの画像データに応じた受信映像や、映像再生部２０が再生した映像信号に基づく再生映像データの画像データに応じた再生映像を表示する。
【００５４】
この映像表示部３０は、例えば、液晶を二枚の対向する透明絶縁性基材（例えば、ガラス板；図示省略）の間に狭持し、その透明絶縁性基材に取り付けられた電極（図示省略）に電圧を印加して、液晶により偏光された光を偏光板（図示省略）に通すことによって光の透過・不透過を制御する液晶パネル３０ｂと、液晶パネル３０ｂと略同形であって、液晶パネル３０ｂよりもやや広い面積を有し、液晶パネル３０ｂの前面に備えられるフロントパネル３０ａ等により構成されている。
【００５５】
そして、液晶パネル３０ｂの後面側に配設されている発光部４０が、液晶や偏光板を介してフロントパネル３０ａ側に向け光を照射するとともに、液晶パネル３０ｂが画像データに基づき光の透過・不透過を切り替えることによって、画像データに応じた映像が映像表示部３０に表示されるようになっている。
【００５６】
発光部４０は、例えば、複数（図２中、４つ）の蛍光管４０ａを有するバックライトであり、映像表示部３０（液晶パネル３０ｂ）の後面側に配設されている。
【００５７】
この発光部４０が、映像表示部３０のフロントパネル３０ａ側に向け光を出力すること
によって、映像表示部３０に映像が表示される。
【００５８】
導光部５０は、例えば、光透過性を有する導光板やプリズム部材などからなり、発光部４０が出力する光の一部を導光して、映像再生部２０に装着されているディスクＤにおける信号読み取り面の反対側の面に向けて照射する。
【００５９】
この導光部５０は、発光部４０が出力する光を受光して、その受光した光を導光板５２に向けて光路変更する第１のプリズム部材５１と、第１のプリズム部材５１から入射された光を、ディスクＤにおける信号読み取り面の反対側の面（非信号読み取り面）側に導光する導光板５２と、導光板５２により導光された光を、ディスクＤにおける信号読み取り面の反対側の面（非信号読み取り面）に向けて照射するように光路変更する第２のプリズム部材５３と、により構成されている。
【００６０】
制御部１は、例えば、ＣＰＵ（図示省略）を備えており、図示しない入力部等から入力される操作入力信号や、予め設定されている設定データ等に応じて、ＲＯＭ（図示省略）などに格納されているＤＶＤ再生機能付き液晶テレビ用の各種制御プログラムに従って各部の動作を集中制御し、その処理結果をＲＡＭ（図示省略）内のワークエリアに格納する。
【００６１】
そして、制御部１は、液晶テレビ１００を構成する各部の動作を制御して、受信部１０が受信した放送信号に基づく受信映像や、映像再生部２０が再生した映像信号に基づく再生映像を、映像表示部３０に表示させる。
【００６２】
この液晶テレビ１００において、ディスクＤに記録されている映画などを視聴する場合、そのディスクＤを映像再生部２０の所定位置に装着するとともに、所定の操作を行うことによって、映像再生部２０がディスクＤを回転駆動するようにして再生する。そして、映像再生部２０がそのディスクＤの信号読み取り面から再生映像データを読み取り、再生映像を映像表示部３０に表示するようになっている。
【００６３】
また、映像表示部３０が映像表示画面に再生映像を表示する際、発光部４０は映像表示用の光を出力している。
【００６４】
この発光部４０が出力した光の一部が、導光部５０の第１のプリズム部材５１に入射されることによって、その光は導光部５０により導光される。そして、導光された光は、導光部５０の第２のプリズム部材５３から、映像再生部２０に装着されているディスクＤの信号読み取り面の反対面（非信号読み取り面）に向けて照射される。
【００６５】
このディスクＤに照射された光はディスクＤの表面で反射する。そして、ディスクＤに照射された光は、液晶テレビ１００を視聴するユーザ側に向けて反射されることとなり、その反射光をユーザが視認することとなる。
【００６６】
ディスクＤが反射した反射光は、光ディスク表面特有の干渉光となってユーザに視認されることとなるので、その虹色様に輝くような反射光（干渉光）によって、液晶テレビ１００に視覚的な装飾性が付与されるようになる。特に、映像再生部２０に装着されているディスクＤは回転駆動されているので、その反射光に揺らぎなどが生じるようになり、反射光がよりきらきらと輝き、より装飾性に優れる反射光となる。
【００６７】
このように、発光部４０が出力した光が、導光部５０によって映像再生部２０に装着されているディスクＤに照射されることにより、ディスクＤがその光を反射することとなり、その反射光によって液晶テレビ１００に視覚的な装飾性が付与されるようになる。
【００６８】
このように、液晶テレビ１００は、発光部４０が映像表示用の光として出力した光の一部を利用して、液晶テレビ１００に装飾性を付与することができる。
【００６９】
つまり、液晶テレビ１００は、液晶テレビ１００自体が有する発光部４０が出力する光を利用することによる装飾効果に優れる液晶テレビであるといえる。
【００７０】
そして、このような反射光による装飾効果を有する液晶テレビ１００は、製品の外観ス
タイルを視覚的に向上させることができるので、ユーザの購買意欲を誘うことができる。
【００７１】
また、導光部５０（第１のプリズム部材５１、導光板５２、第２のプリズム部材５３）を所望する色に着色し、発光部４０が出力した白色の光が、その導光部５０を導光されたことにより着色されて、所望する色となったその光をディスクＤに照射するようにしてもよい。着色光をディスクＤに照射することによって、反射光もその着色光に応じた色になるので、所望する色で液晶テレビ１００を装飾することができるようになる。
【００７２】
また、導光部５０（導光板５２）に様々な色を有するカラーフィルターを配置し、そのカラーフィルターを回転させるなどしてその配置を切り替えることによって、導光される光に着色する色を切り替えることを可能にすることにより、装飾に関する色バリエーションを増やすことができるようになる。
【００７３】
（実施形態２）
次に、本発明に係る光ディスク再生機能付きテレビ受像装置（ＤＶＤ再生機能付き液晶テレビ）の実施形態２について説明する。なお、実施形態１と同一部分には同一符号を付し、異なる部分についてのみ説明する。
【００７４】
図３、図４に示すように、ＤＶＤ再生機能付き液晶テレビ２００（以下、液晶テレビ２００）は、放送信号を受信する受信部１０と、光ディスクであるディスクＤに記録されている映像信号を再生する映像再生部２０と、放送信号に基づく受信映像データに応じた受信映像や、映像信号に基づく再生映像データに応じた再生映像を表示する映像表示部３０と、放送信号に基づく受信映像データに応じた音声や、映像信号に基づく再生映像データに応じた音声を出力する音声出力部（図示省略）と、映像表示部３０が映像を表示するための光を出力する発光部４０と、発光部４０が出力した光であって映像表示部３０を介して出射される光を導光する導光部５５と、上記各部の動作処理を制御する制御部１と、これらを内部に収容する筐体２００ａ等を備えている。
【００７５】
導光部５５は、例えば、光透過性を有する導光板やプリズム部材などからなり、発光部４０が出力した光であって、映像表示部３０を介して映像として出力される光の一部を導光して、映像再生部２０に装着されているディスクＤにおける信号読み取り面の反対側の面に向けて照射する。
【００７６】
この導光部５５は、発光部４０が出力した光であり、映像表示部３０に表示される映像としての光の一部であってフロントパネル３０ａを導光された光を受光して、その受光した光を導光板５７に向けて光路変更する第１のプリズム部材５６と、第１のプリズム部材５６から入射された光を、ディスクＤの近傍に導光する導光板５７と、導光板５７により導光された光を、ディスクＤにおける信号読み取り面の反対側の面（非信号読み取り面）に向けて照射するように光路変更する第２のプリズム部材５８と、により構成されている。
【００７７】
この液晶テレビ２００において、ディスクＤに記録されている映画などを視聴する場合、そのディスクＤを映像再生部２０の所定位置に装着するとともに、所定の操作を行うことによって、映像再生部２０がディスクＤを回転駆動するようにして再生する。そして、映像再生部２０がそのディスクＤの信号読み取り面から再生映像データを読み取り、再生映像を映像表示部３０に表示するようになっている。また、映像表示部３０が映像表示画面に再生映像を表示する際、発光部４０は映像表示用の光を出力している。
【００７８】
この発光部４０が出力した光が映像として、映像表示部３０から出射されることとなって、映像表示部３０から出射される光の一部が、導光部５５の第１のプリズム部材５６に入射されることによって、その光は導光部５５により導光される。そして、導光された光は、導光部５５の第２のプリズム部材５８から、映像再生部２０に装着されているディス
クＤの信号読み取り面の反対面（非信号読み取り面）に向けて照射される。
【００７９】
このような導光部５５を有する液晶テレビ２００であっても、発光部４０が出力した光が、導光部５５によって映像再生部２０に装着されているディスクＤに照射されることになるので、ディスクＤがその光を反射することが可能となり、その反射光によって液晶テレビ２００に視覚的な装飾性が付与されるようになる。
【００８０】
このように、液晶テレビ２００は、発光部４０が映像表示用の光として出力した光の一部を利用して、液晶テレビ２００に装飾性を付与することができる。つまり、液晶テレビ２００は、液晶テレビ２００自体が有する発光部４０が出力する光を利用することによる装飾効果に優れる液晶テレビであるといえる。
【００８１】
なお、以上の実施の形態においては、光ディスク再生機能付きテレビ受像装置としてＤＶＤ再生機能付き液晶テレビを例に挙げて説明したが、本発明はこれに限定されるものではなく、光ディスク再生装置などに本発明を適用してもよい。
【００８２】
また、以上の実施の形態において、導光部が、第１のプリズム部材と第２のプリズム部材との、２つのプリズム部材を有する例を挙げて説明したが、本発明はこれに限定されるものではなく、導光部は少なくとも１つのプリズム部材を有すればよく、導光部が導光した光をディスクＤの所定の面に照射することができればよい。また、導光板と一体のプリズム部材であってもよい。
【００８３】
また、以上の実施の形態においては、液晶テレビがディスクＤに記録されている映像を映像再生部２０によって再生する場合における装飾性の付与について説明したが、本発明はこれに限定されるものではなく、例えば、液晶テレビにおいて、受信部１０で受信した受信映像を表示する際に、映像再生部２０でディスクＤを空回しするようにして、反射光による装飾を行うようにしてもよい。
【００８４】
また、ディスクＤが反射する反射光の向きは、映像表示部３０の映像表示画面側であることに限らず、反射光により装飾性を付与する任意の向きでよく、その任意の向きに応じて、ディスクＤの向きや、映像再生部２０の配置や向きを調整するようにすればよい。
【００８５】
また、その他、具体的な細部構造等についても適宜に変更可能であることは勿論である。
【図面の簡単な説明】
【００８６】
【図１】本発明に係る液晶テレビの正面図である。
【図２】本発明に係る液晶テレビの内部構成を示す概略側面図である。
【図３】本発明の実施形態２における液晶テレビの正面図である。
【図４】本発明の実施形態２における液晶テレビの内部構成を示す概略側面図である。
【符号の説明】
【００８７】
１      制御部
１０    受信部
２０    映像再生部
２１    回転軸
３０    映像表示部
３０ａ  フロントパネル
３０ｂ  液晶パネル
４０    発光部
４０ａ  蛍光管
５０    導光部
５１    第１のプリズム部材
５２    導光板
５３    第２のプリズム部材
５５    導光部
５６    第１のプリズム部材
５７    導光板
５８    第２のプリズム部材
１００、２００  液晶テレビ（ＤＶＤ再生機能付き液晶テレビ、光ディスク再生機能付きテレビ受像装置）
１００ａ、２００ａ  筐体
Ｄ      ディスク（光ディスク）
【図１】
2006302387.tif 000003
【図２】
2006302387.tif 000004
【図３】
2006302387.tif 000005
【図４】
2006302387.tif 000006